(57)【要約】【課題】既存建築物のベランダに対する工事を行うことなく、当該ベランダにプランタやデッキ材等を安全に配置することができるベランダ用美観構造物を提供すること。【解決手段】ベランダ１１の既存床面１２の上方に床材２１を固定するための床材固定枠体２と、ベランダ１１の既存側壁１３の内壁面１３ａに沿って壁材３１を固定可能とするための壁材固定枠体３と、ベランダ１１の既存側壁１３の上部１３ｂにプランタ１８を支持するためのプランタ支持枠体４とを有し、床材固定枠体２と、壁材固定枠体３と、プランタ支持枠体４とは一体になるように順に連結されており、ベランダ用美観構造物１を固定するための固定手段を既存建築物側に設けることなく既存建築物のベランダ１１に設置可能とした。【選択図】図２
2007154634.tif 000002
【特許請求の範囲】
【請求項１】
既存建築物のベランダに設けるベランダ用美観構造物であって、
ベランダの既存床面の上方に床材を固定するための床材固定手段と、
ベランダの既存側壁の内壁面に沿って壁材を固定可能とするための壁材固定手段と、
ベランダの既存側壁の上部、又は、前記壁材固定手段の上部にプランタを支持するためのプランタ支持手段とを有し、
前記床材固定手段と、前記壁材固定手段と、前記プランタ支持手段とは一体になるように順に連結されており、
前記ベランダ用美観構造物を固定するための固定手段を既存建築物側に設けることなく設置可能であることを特徴とするベランダ用美観構造物。
【請求項２】
前記床材固定手段は、ベランダの既存床面の周囲に形成されている既存壁面に対して前記床材固定手段の水平方向の移動を規制するための水平方向固定手段を備えている請求項１記載のベランダ用美観構造物。
【請求項３】
前記床材固定手段は、前記床材固定手段の下方に配設されると共に、前記床材の配設状態を水平状態に調節するための複数の角度調整手段を備えている請求項１記載のベランダ用美観構造物。
【請求項４】
前記床材固定手段、前記壁材固定手段、及び前記プランタ支持手段は、アルミ製角材により構成された枠体状の部材であることを特徴とする請求項１記載のベランダ用美観構造物。
【請求項５】
前記ベランダ用美観構造物は、前記壁材固定手段により形成されている内部空間に収納部を有していることを特徴とする請求項１記載のベランダ用美観構造物。
【請求項６】
前記ベランダ用美観構造物は、さらに前記ベランダ用美観構造物の垂直方向の移動を規制するための垂直方向固定手段を有し、
前記垂直方向固定手段は、既存建築物のベランダの上方に位置する既存天井面と前記ベランダ用美観構造物との間に設けられると共に、前記垂直方向固定手段の頂部を既存天井面と当接させることにより、前記垂直方向固定手段を固定するための固定手段を既存天井面側に設けることなく設置可能であることを特徴とする請求項１記載のベランダ用美観構造物。
【請求項７】
前記ベランダ用美観構造物は、さらに懸架用手段を有し、
前記懸架用手段は、既存建築物のベランダの上方に位置する既存天上面に沿って延在し、
前記垂直方向固定手段は、既存建築物のベランダの両側方に位置する２つの既存壁面に沿って前記ベランダ用美観構造物に少なくとも２つ設けられており、
前記懸架用手段は、少なくとも２つの前記垂直方向固定手段により支持されていることを特徴とする請求項６記載のベランダ用美観構造物。
【発明の詳細な説明】
【技術分野】
【０００１】  本発明は、既存建築物のベランダに設置するベランダ用美観構造物に関する。
【背景技術】
【０００２】  アパートやマンション等の集合住宅においてベランダ（バルコニー）の美観を向上させるため、植物を植栽したプランタをベランダに配置していた。このようなプランタは、ベランダの床面に載置される他、ベランダ側壁上部に設けられている手摺等に専用の金具等を用いて懸架されている場合もある。【０００３】  また、ベランダの床面の美観を向上させるため、当該床面にスノコ状に構成したデッキ材を載置することも行われている。
【発明の開示】
【発明が解決しようとする課題】
【０００４】  近年のアパートやマンション等の高層化に伴い、ベランダに載置したプランタやデッキ材等が突風により地上へ落下する事故が懸念されている。このような事故を未然に防止するためには、これら既存建築物のベランダ部分の躯体にアンカーボルト等を設ける工事を行い、このアンカーボルト等によりプランタやデッキ材を固定する方法が考えられる。しかし、アパートやマンション等のベランダ部分の躯体は住民の共用部分となっているため、このような工事を行う場合には共用部分の変更に該当し、アパートやマンション等の管理組合の承認を得なければならないという問題点がある。【０００５】  本発明は、上記問題点に鑑み、当該ベランダ部分の躯体に対する工事を行うことなく、既存建築物のベランダにプランタやデッキ材等を安全に配置することができるベランダ用美観構造物を提供することを目的とする。
【課題を解決するための手段】
【０００６】  本発明に係るベランダ用美観構造物は、既存建築物のベランダに設けるベランダ用美観構造物であって、ベランダの既存床面の上方に床材を固定するための床材固定手段と、ベランダの既存側壁の内壁面に沿って壁材を固定可能とするための壁材固定手段と、ベランダの既存側壁の上部、又は、前記壁材固定手段の上部にプランタを支持するためのプランタ支持手段とを有し、前記床材固定手段と、前記壁材固定手段と、前記プランタ支持手段とは一体になるように順に連結されており、前記ベランダ用美観構造物を固定するための固定手段を既存建築物側に設けることなく設置可能であることを特徴とする。【０００７】  さらに、本発明に係るベランダ用美観構造物は、前記床材固定手段が、ベランダの既存床面の周囲に形成されている既存壁面に対して前記床材固定手段の水平方向の移動を規制するための水平方向固定手段を備えていることが好ましい。【０００８】  さらに、本発明に係るベランダ用美観構造物は、前記床材固定手段が、前記床材固定手段の下方に配設されると共に、前記床材の配設状態を水平状態に調節するための複数の角度調整手段を備えていることが好ましい。【０００９】  さらに、本発明に係るベランダ用美観構造物は、前記床材固定手段、前記壁材固定手段、及び前記プランタ支持手段が、アルミ製角材により構成された枠体状の部材であることが好ましい。【００１０】  さらに、本発明に係るベランダ用美観構造物は、前記ベランダ用美観構造物が、前記壁材固定手段により形成されている内部空間に収納部を有していることが好ましい。【００１１】  さらに、本発明に係るベランダ用美観構造物は、前記ベランダ用美観構造物が、さらに前記ベランダ用美観構造物の垂直方向の移動を規制するための垂直方向固定手段を有し、前記垂直方向固定手段は、既存建築物のベランダの上方に位置する既存天井面と前記ベランダ用美観構造物との間に設けられると共に、前記垂直方向固定手段の頂部を既存天井面と当接させることにより、前記垂直方向固定手段を固定するための固定手段を既存天井面側に設けることなく設置可能であることが好ましい。【００１２】  さらに、本発明に係るベランダ用美観構造物は、前記ベランダ用美観構造物が、さらに懸架用手段を有し、前記懸架用手段は、既存建築物のベランダの上方に位置する既存天上面に沿って延在し、前記垂直方向固定手段は、既存建築物のベランダの両側方に位置する２つの既存壁面に沿って前記ベランダ用美観構造物に少なくとも２つ設けられており、前記懸架用手段は、少なくとも２つの前記垂直方向固定手段により支持されていることが好ましい。
【発明の効果】
【００１３】  請求項１記載の発明によれば、ベランダ用美観構造物は、ベランダの既存床面の上方に床材を固定するための床材固定手段と、ベランダの既存側壁の内壁面に沿って壁材を固定可能とするための壁材固定手段と、ベランダの既存側壁の上部、又は、前記壁材固定手段の上部にプランタを支持するためのプランタ支持手段とを有し、これら床材固定枠手段と壁材固定手段とプランタ支持手段とは一体になるように順にボルトにより連結されている。このため、床材やプランタ等の重量により、ベランダ用美観構造物全体がベランダの既存床面に押し付けられて設置されることになり、突風等によるベランダ用美観構造物の移動を防止することができる。従って、ベランダ用美観構造物を固定するための固定手段を既存建築物側に設ける必要がない。【００１４】  請求項２記載の発明によれば、ベランダ用美観構造物は、床材固定手段に水平方向固定手段が設けられている。このため、ベランダの既存床面の周囲に形成されている既存壁面に対して、床材固定手段を固定することができる。従って、ベランダの既存床面上におけるベランダ美観構造物の水平方向の移動を規制することができる。【００１５】  請求項３記載の発明によれば、ベランダ用美観構造物は、床材固定手段に床材を水平状態に調整するための角度調整手段が設けられている。このため、床材の水平状態を容易に調整することができ、また、床材固定手段とベランダの床面との間に雨水を流すことができる間隙を形成することもできる。【００１６】  請求項４記載の発明によれば、ベランダ用美観構造物における床材固定枠体、壁材固定枠体、及びプランタ支持枠体は、アルミ製角材により構成された枠体状の部材から成る。このため、ベランダの大きさや形状に適合させるためのこれら部材の切断や加工が容易となり、また、アルミ材を用いるため、耐候性に優れているという利点がある。【００１７】  請求項５記載の発明によれば、ベランダ用美観構造物は収容部を有しているため、小物等を収容することができる。このため、突風によってこのような小物等が吹き飛ばされることを防止することができる。【００１８】  請求項６記載の発明によれば、ベランダ用美観構造物は、垂直方向固定手段を有している。このため、ベランダ用美観構造物全体をベランダの床面に押し付けて設置することができ、突風等によるベランダ用美観構造物の垂直方向における浮き上がりを防止することができる。【００１９】  請求項７記載の発明によれば、ベランダ用美観構造物は、懸架用手段を有している。このため、この懸架用手段を支持している垂直方向固定手段の水平方向の強度を確保することができ、同時に、この懸架用手段に金網等の装飾部材等を懸架することができる。
【発明を実施するための最良の形態】
【００２０】  以下、図面を参照しつつ本発明の実施形態のベランダ用美観構造物について詳細に説明する。図１及び図２に示すように、本実施形態のベランダ用美観構造物１は、ベランダ１１の既存床面１２の上方に床材２１を固定するための床材固定手段である床材固定枠体２と、ベランダ１１の既存側壁１３の内壁面１３ａに沿って壁材３１を固定するための壁材固定手段である壁材固定枠体３と、ベランダ１１の既存側壁１３の上部１３ｂにプランタ１８を固定するためのプランタ支持手段であるプランタ支持枠体４とを有し、前記床材固定枠体２と、前記壁材固定枠体３と、前記プランタ支持枠体４とは一体になるように順にボルト（図示せず）により連結されており、前記ベランダ用美観構造物１を固定するための固定手段を既存建築物側に設けることなく既存建築物のベランダ１１に設置可能であることを特徴とする。【００２１】  さらに、本実施形態のベランダ用美観構造物１は、ベランダ用美観構造物１の垂直方向の移動を規制するための垂直方向固定手段である垂直方向固定支柱５と、この垂直方向固定支柱５により支持されている懸架用手段である懸架用横材６（図２参照）とを備えている。【００２２】  床材固定枠体２は、図１〜図３に示すように、ベランダ１１の既存床面１２の上方に設けられている。床材固定枠体２は、角柱状のアルミ引抜き材により構成された枠体状部材である。この床材固定枠体２は、枠材２ａ、２ｂ、２ｃと、複数の桟材２ｄから構成されている。これら枠材２ａ〜２ｃ及び桟材２ｄはボルト（図示せず）により相互に連結されている。床材固定枠体２の枠体２ａ〜２ｃの上部、即ち、この床材固定枠体２の上面には、複数の床材２１がスノコ状に配設されている。なお、本実施形態において、この床材２１は、粉状化した木材と合成樹脂とを合成することにより製造されたプラスチックウッド製のデッキ材である。なお、このデッキ材は、このような材質や形態に限定されず、様々な材質や形態を備えた床材が全て含まれる。【００２３】  枠材２ａはベランダ１１の既存壁面１３に沿って水平方向に延在し、枠材２ｃはベランダ１１の基部側にある既存建築物の既存壁面１４に沿って水平方向に延在し、枠材２ｂはベランダ１１の側方側にある既存建築物の既存壁面１５又は隣室との境界域に設けられている既存パーテーション１６に沿って水平方向に延在している。なお、枠材２ａ、２ｃは、それらが対向している各既存壁面１３、１４との間に間隔を隔てて配設されている。【００２４】  床材固定枠体２の枠材２ａ、２ｃの外側面には、それぞれ、床材固定枠体２の水平方向の移動を規制するための水平方向固定手段としてアジャスターボルト２２ａ、２２ｃが設けられている。このアジャスターボルト２２ａ、２２ｃは、上記枠材２ａ、２ｃとそれらが対向している各既存壁面１３、１４との間の間隙において伸縮可能に設けられている。そして、床材固定枠体２の設置の際には、このアジャスターボルト２２ａ、２２ｃの突出長さを調整し、それらアジャスターボルト２２ａ、２２ｃの端部が既存壁面１３、１４に対して押し付けられるようにする。このようなアジャスターボルト２２ａ、２２ｃの突出長さの調整により、床材固定枠体２のベランダ１１の既存��面１２上における水平方向の移動が規制される。そして、このアジャスターボルト２２ａ、２２ｃにより、ベランダ用美観構造物１のベランダ１１の奥行き方向における突風による浮き上がりを防止することができる。なお、このような水平方向固定手段としては、アジャスターボルトの他、耐候性に優れた硬質ゴム等によっても代替可能である。【００２５】  さらに、床材固定枠体２の枠体２ａ〜２ｃの下部、即ち床材固定枠体２の底面には、床材２１の配設状態を水平状態に調整するための角度調整手段であるアジャスターボルト２３が複数設けられている（図１参照）。既存建築物のベランダ１１は、一般的に排水性を確保するために排水溝１２ａに向かって傾斜している。このため、これらアジャスターボルト２３の突出長さを調整することにより、床時固定枠体２と床材２１とを完全な水平状態に保つことができる。また、このアジャスターボルト２３によって、床材固定枠体２とベランダ１１の既存床面１２との間に間隙を形成することができるため、この間隙を通じて雨水が排水溝１２ａへ流入することができる。【００２６】  壁材固定枠体３は、図１に示すように、ベランダ１１の既存側壁１３の内壁面１３ａに沿って設けられている。壁材固定枠体３は、角柱状のアルミ引抜き材により構成された枠体状部材である。この壁材固定枠体３は、枠材２ａ、３ａと、複数の支柱３ｂから構成されている。この枠材２ａ、３ａ及び支柱３ｂはボルト（図示せず）により相互に連結されている。壁材固定枠体３の枠体２ａ、３ａ及び支柱３ｂの側部、即ち、この壁材固定枠体３の側面には、複数の壁材３１がスノコ状に配設されている（図２参照）。なお、本実施形態において、この壁材３１は上記床材２１と同一のデッキ材である。なお、本実施形態において、壁材固定枠体３には壁材３１が固定されているが、必ずしも壁材３１を固定する必要はない。また、壁材は、デッキ材である必要はなく、タイル製や金属製の部材で構成することも可能であり、後述するような金網７のような形態を有している部材とすることも可能である。【００２７】  壁材固定枠体３を構成している枠材２ａは上記床材固定枠体２と共用されている。このため、壁材固定枠体３は、床材固定枠体２と一体になるようにボルトにより連結されている。【００２８】  プランタ支持枠体４は、図１に示すように、ベランダ１１の既存側壁１３の上部１３ｂに設けられている。そして、プランタ支持枠体４は、角柱状のアルミ引抜き材により構成され、全体として直方体形状の枠体状部材である。このプランタ支持枠体４は、その内部にプランタ１８を収容し、これを支持している。このプランタ支持枠体４は、枠材３ａ、４ａ〜４ｆにより構成され、これら枠材３ａ、４ａ〜４ｆはボルト（図示せず）により相互に連結されている。【００２９】  プランタ支持枠体４を構成している枠材３ａは上記壁材固定枠体３と共用されている。このため、プランタ支持枠体４は、壁材固定枠体３と一体になるようにボルトにより連結されている。従って、床材固定枠体２と壁材固定枠体３とプランタ支持枠体４とは一体になるように順にボルトにより連結されている。【００３０】  垂直方向固定支柱５は、図１及び図２に示すように、既存建築物の��ランダ１１の上方に位置する既存天井面１７とベランダ用美観構造物１との間に設けられている。本実施形態において、垂直方向固定支柱５は、ベランダ１１の両側方に位置する既存壁面１５と既存パーテーション１６の壁面に沿って２本設けられている（図３参照）。これら垂直方向固定支柱５は、角柱状のアルミ引抜き材の支柱であり、その基部は上記プランタ支持枠体４の枠材４ｂの上部にボルト（図示せず）により固定されている。さらに、これら垂直方向固定支柱５のそれぞれの頂部にはアジャスターボルト（図示せず）が設けられており、ベランダ１１の既存天井面１７に対してアジャスターボルトの突出長さを調整することにより、垂直方向固定支柱５を固定することができる。この垂直方向固定支柱５により、ベランダ用美観構造物１の幅方向における突風による浮き上がりを防止することができる。【００３１】  懸架用横材６は、図２に示すように、既存建築物のベランダ１１の上方に位置する既存天井面１７に沿って延在すると共に、２本の垂直方向固定支柱５によりその両端が支持されている。この懸架用横材６は、角柱状のアルミ引抜き材から構成され、２本の垂直方向固定支柱５にボルト（図示せず）により固定されている。さらに、この懸架用横材６と上記プランタ支持枠体４の枠材４ｂとの間には、ステンレス製の金網７が設けられている。この金網７は、プランタ１８に蔦類の植物を植栽した場合には、その蔦類の蔓が絡みつくようにするものである。また、この金網７に金具（図示せず）等を用いて植栽用ポット（図示せず）を懸架することも可能である。【００３２】  以下、本実施形態の作用効果を説明する。本実施形態のベランダ用美観構造物１は、ベランダ１１の既存床面１２の上方に床材２１を固定するための床材固定手段である床材固定枠体２と、ベランダ１１の既存側壁１３の内壁面１３ａに沿って壁材３１を固定可能とするための壁材固定手段である壁材固定枠体３と、ベランダ１１の既存側壁１３の上部１３ｂにプランタ１８を支持するためのプランタ支持手段であるプランタ支持枠体４とを有し、これら床材固定枠体２と壁材固定枠体３とプランタ支持枠体４とは一体になるように順にボルトにより連結されている。このため、床材２１やプランタ１８等の重量により、ベランダ用美観構造物１全体がベランダ１１の床面１２に押し付けられて設置されることになり、突風等によるベランダ用美観構造物１の移動を防止することができる。従って、ベランダ用美観構造物１を固定するための固定手段を既存建築物側に設ける必要がない。【００３３】  さらに、本実施形態のベランダ用美観構造物１は、床材固定手段である床材固定枠体２に水平方向固定手段としてアジャスターボルト２２ａ、２２ｃが設けられている。このため、ベランダ１１の既存床面１２の周囲に形成されている既存壁面１３，１４に対して、床材固定枠体２を押し付けるように固定することができる。従って、床材固定枠体２のベランダ１１の既存床面１２上における水平方向の移動を容易に規制することができる。そして、このアジャスターボルト２２ａ、２２ｃにより、ベランダ用美観構造物１のベランダ１１の奥行き方向における突風による浮き上がりを防止することができる。【００３４��  さらに、本実施形態のベランダ用美観構造物１は、床材固定手段である床材固定枠体２に床材２１を水平状態に調整するための角度調整手段としてアジャスターボルト２３が複数設けられている。このため、床材２１の水平状態を容易に調整することができ、また、このアジャスターボルト２３により床材固定枠体２とベランダ１１の床面１２との間に雨水を流すことができる間隙を形成することもできる。【００３５】  さらに、本実施形態のベランダ用美観構造物１における床材固定枠体２、壁材固定枠体３、及びプランタ支持枠体４は、アルミ製角材により構成された枠体状の部材から成る。このため、これら部材は、ベランダ１１の大きさや形状に適合させるための切断や加工が容易であり、また、耐候性に優れているという利点がある。【００３６】  さらに、本実施形態のベランダ用美観構造物１は、垂直方向固定手段である垂直方向固定支柱５を有している。このため、ベランダ用美観構造物１全体をベランダ１１の床面１２に押し付けて設置することができ、ベランダ１１の幅方向におけるベランダ用美観構造物１の浮き上がりを防止することができる。【００３７】  さらに、本実施形態のベランダ用美観構造物１は、懸架用手段である懸架用横材６を有している。このため、この懸架用横材６を支持している垂直方向固定支柱５の水平方向の強度を確保することができ、同時に、この懸架用横材６に金網７等の装飾部材を懸架することができる。【００３８】  次に、図４を参照しつつ、本発明に係る他の実施形態のベランダ用美観構造物について説明する。本実施形態のベランダ用美観構造物１０は、上記実施形態のベランダ用美観構造物１と略同様の構成を備えているが、収容部８を備えており、また、壁材固定手段である壁材固定枠体３の上部にプランタ支持手段であるプランタ支持枠体４が設けられている点において相違する。なお、本実施形態において上記実施形態と同一の機能及び用途を有する部材については、同一符号を用いて説明する。【００３９】  本実施形態において、壁材固定手段である壁材固定枠体３は、ベランダ１１の既存側壁１３の内壁面１３ａに沿って設けられている直方体形状の枠体状部材として構成されている。そして、この壁材固定枠体３の内部空間が収容部８となっている。壁材固定枠体３には、扉８ａが設けられており、この扉８ａを開閉し収容部８内へ小物等を収納することができる。なお、本実施形態におけるプランタ支持枠体４は、上記実施形態のようにベランダ１１の既存側壁１３の上部１３ｂに支持されているのではなく、壁材固定枠体３により支持されている。【００４０】  本実施形態は、上記実施形態と略同様の作用効果を有する。さらに、小物等を収容できる収容部８を設けることにより、突風によって小物等が吹き飛ばされることを防止することができる。【００４１】  上記のような本発明のベランダ用美観構造物は、装飾や収納等を目的とした様々なアタッチメントを床材固定手段、壁材固定手段、プランタ支持手段、垂直方向固定手段、及び懸架用手段に取付けることができる。このようなアタッチメントを装着することによりベランダ用美観構造物のシステム化を容易に図ることができる。【００４２】  なお、上記の２つの実施形態は、��準的な形態のベランダを想定したものであり、ベランダの手摺の位置やベランダ全体の形状等に応じて、床材固定手段、壁材固定手段、プランタ支持手段、垂直方向固定手段、及び懸架用手段の配置状態やそれら手段の材質や形態を変化させることも本発明の技術的範囲に含まれる。例えば、床材固定手段、壁材固定手段、プランタ支持手段等をパネル材等により構成することも可能である。
【図面の簡単な説明】
【００４３】
【図１】本発明に係る実施形態のベランダ用美観構造物１を示す側面図である。
【図２】図１に示すベランダ用美観構造物１の斜視図である。
【図３】図１に示すベランダ用美観構造物１の平面図である。なお、本図において、本来であれば破線で描かれるべきアジャスターボルト２２ａ、２２ｃは、明瞭に示すために実線により示されている。
【図４】本発明に係る他の実施形態のベランダ用美観構造物１０を示す側面図である。
【符号の説明】
【００４４】１、１０  ベランダ用美観構造物
１１  ベランダ
１２  既存床面
１２ａ  排水溝
１３、１４、１５  既存壁面
１３ａ  内壁面
１３ｂ  側壁上部
１６  既存パーテーション
１７  既存天井面
１８  プランタ
２  床材固定枠体
２ａ〜２ｃ  枠材
２ｄ  桟材
２１  床材
２２ａ、２２ｃ、２３  アジャスターボルト
３  壁材固定枠体
３ａ  枠材
３ｂ  支柱
３１  壁材
４  プランタ支持枠体
４ａ〜４ｆ  枠材
５  垂直方向固定支柱
６  懸架用横材
７  金網
８  収容部
８ａ  扉
【図１】
2007154634.tif 000003
【図２】
2007154634.tif 000004
【図３】
2007154634.tif 000005
【図４】
2007154634.tif 000006